(57)【要約】【課題】不安定な通信状態を低減することができる携帯電子機器を提供すること。【解決手段】携帯電話機１は、通信を行う通信部１５と、加速度を検出する加速度センサ１６と、加速度センサ１６により検出された加速度に基づいて停止状態及び移動状態のうちいずれであるかを判別する制御部１８とを備える。制御部１８は、移動状態であると判別した場合に、通信部１５を制御して通信を切断する。【選択図】図１
2014049909.tif 000002
【特許請求の範囲】
【請求項１】
通信を行う通信部と、
加速度を検出する加速度センサと、
前記加速度センサにより検出された加速度に基づいて停止状態及び移動状態のうちいずれであるかを判別し、前記移動状態であると判別した場合に、前記通信を切断する制御部と、
を備える携帯電子機器。
【請求項２】
前記通信部は、無線ＬＡＮシステムにより通信を行い、
前記制御部は、前記移動状態であると判別した場合に、前記無線ＬＡＮシステムによる通信を切断する
請求項１に記載の携帯電子機器。
【請求項３】
前記無線ＬＡＮシステムの基地局から受信する電波の電界強度を検出する検出部を備え、
前記制御部は、前記移動状態であると判別した場合において検出された前記電界強度が所定の閾値以下のとき、前記無線ＬＡＮシステムによる通信を切断する、
請求項２に記載の携帯電子機器。
【請求項４】
前記加速度に基づいて前記携帯電子機器の移動量を算出する移動量算出部を備え、
前記制御部は、所定時間内に前記移動量算出部により算出された移動量が所定値以上の場合、前記閾値を上昇させる、
請求項３に記載の携帯電子機器。
【請求項５】
第１の通信システムにより通信を行う第１通信部と、
第２の通信システムにより通信を行う第２通信部と、
加速度を検出する加速度センサと、
前記加速度センサにより検出された加速度に基づいて停止状態及び移動状態のうちいずれであるかを判別し、
前記第１の通信部により通信を行っている状態において、前記移動状態であると判別した場合、前記第１通信部による通信から前記第２通信部による通信に切り替える制御部と、
を備える携帯電子機器。
【請求項６】
前記第１の通信システムは、無線ＬＡＮシステムである
請求項５に記載の携帯電子機器。
【発明の詳細な説明】
【技術分野】
【０００１】
本発明は、通信可能な携帯電子機器に関する。
【背景技術】
【０００２】
携帯電子機器には、複数の通信方式により通信を行うものがある（例えば、特許文献１を参照）。
【先行技術文献】
【特許文献】
【０００３】
【特許文献１】特開２００９−３０３２３４号公報
【発明の概要】
【発明が解決しようとする課題】
【０００４】
ところで、このような携帯電子機器では、無線ＬＡＮシステムにより通信を行うものがある。無線ＬＡＮシステムによって通信を行う場合、携帯電子機器が移動して無線ＬＡＮシステムの基地局との距離が遠くなると、通信状態が不安定な状態となるといった問題が生じるおそれがある。なお、このような問題は無線ＬＡＮシステムによる通信に限られない。
【０００５】
本発明は、不安定な通信状態を低減することができる携帯電子機器を提供することを目的とする。
【課題を解決するための手段】
【０００６】
本発明に係る携帯電子機器は、通信を行う通信部と、加速度を検出する加速度センサと、前記加速度センサにより検出された加速度に基づいて停止状態及び移動状態のうちいずれであるかを判別し、前記移動状態であると判別した場合に、前記通信を切断する制御部と、を備える。
【０００７】
また、本発明に係る携帯電子機器では、前記通信部は、無線ＬＡＮシステムにより通信を行い、前記制御部は、前記移動状態であると判別した場合に、前記無線ＬＡＮシステムによる通信を切断することが好ましい。
【０００８】
また、本発明に係る携帯電子機器では、前記無線ＬＡＮシステムの基地局から受信する電波の電界強度を検出する検出部を備え、前記制御部は、前記移動状態であると判別した場合において検出された前記電界強度が所定の閾値以下のとき、前記無線ＬＡＮシステムによる通信を切断することが好ましい。
【０００９】
また、本発明に係る携帯電子機器では、前記加速度に基づいて前記携帯電子機器の移動量を算出する移動量算出部を備え、前記制御部は、所定時間内に前記移動量算出部により算出された移動量が所定値以上の場合、前記閾値を上昇させることが好ましい。
【００１０】
本発明に係る携帯電子機器は、第１の通信システムにより通信を行う第１通信部と、第２の通信システムにより通信を行う第２通信部と、加速度を検出する加速度センサと、前記加速度センサにより検出された加速度に基づいて停止状態及び移動状態のうちいずれであるかを判別し、前記第１の通信部により通信を行っている状態において、前記移動状態であると判別した場合、前記第１通信部による通信から前記第２通信部による通信に切り替える制御部と、を備える。
【００１１】
また、本発明に係る携帯電子機器では、前記第１の通信システムは、無線ＬＡＮシステムであることが好ましい。
【発明の効果】
【００１２】
本発明によれば、不安定な通信状態を低減することができる。
【図面の簡単な説明】
【００１３】
【図１】携帯電話機の構成を示すブロック図である。
【図２】加速度センサの検出結果を模式的に示す図である。
【図３】携帯電話機の動作の流れについての説明に供するフローチャートである。
【発明を実施するための形態】
【００１４】
本発明を実施するための実施形態を、図面を参照しつつ詳細に説明する。以下では、電子機器の一例として、携帯電話機１について説明する。
【００１５】
携帯電話機１は、図１に示すように、表示部１１と、操作部１２と、レシーバ１３と、マイク１４と、通信部１５と、加速度センサ１６と、記憶部１７と、制御部１８とを備える。
表示部１１は、液晶ディスプレイ（Ｌｉｑｕｉｄ  Ｃｒｙｓｔａｌ  Ｄｉｓｐｌａｙ）、又は有機ＥＬパネル（Ｏｒｇａｎｉｃ  Ｅｌｅｃｔｒｏ−Ｌｕｍｉｎｅｓｃｅｎｃｅ  ｐａｎｅｌ）等の表示デバイスにより構成されている。表示部１１には、文字、画像、記号又は図形等が表示される。
【００１６】
操作部１２は、複数のボタンから構成されており、利用者によって操作される。なお、操作部１２は、単一のボタンにより構成されていてもよい。
レシーバ１３は、制御部１８から送信される音声信号を音声に変換して出力する。
【００１７】
通信部１５は、アンテナと、ＲＦ回路部とを備える。通信部１５は、複数の無線通信規格それぞれに対応した通信方式によって通信を行う。通信部１５は、２Ｇ、３Ｇ、４Ｇ等のセルラーフォンの通信規格に準拠した通信システム又は無線ＬＡＮシステムによる通信を可能とする。また、通信部１５は、無線ＬＡＮシステムである、ＩＥＥＥ８０２．１１に準拠している無線通信システム、例えば、ＷｉＦｉ（登録商標）の無線通信システムによる通信を可能とする。なお、通信部１５は、ＷｉＭＡＸ（登録商標）の無線通信システムによる通信を行ってもよい。アンテナ及びＲＦ回路部は、複数の通信方式それぞれに対応して複数設けられている。本実施形態では、通信部１５は、ＷｉＦｉにより通信を行うものとして説明を進める。なお、通信部１５は、２Ｇ、３Ｇ、４Ｇ等のセルラーフォンの通信規格に準拠した通信システムである第１の通信システムにより通信を行う第１通信部と、無線ＬＡＮシステムである第２の通信システムにより通信を行う第２通信部と、を備えていてもよい。なお、第２の通信システムは、ＩＥＥＥ８０２．１１に準拠している無線通信システム、ＷｉＭＡＸの無線通信システム、Ｂｌｕｅｔｏｏｔｈ（登録商標）、ＩｒＤＡ、ＮＦＣ（Ｎｅａｒ  Ｆｉｅｌｄ  Ｃｏｍｍｕｎｉｃａｔｉｏｎ）であってもよい。
【００１８】
加速度センサ１６は、携帯電話機１に働く加速度の方向及び大きさを検出し、検出結果を制御部１８に出力する。加速度センサ１６は、Ｘ軸方向、Ｙ軸方向及びＺ軸方向の加速度を検出する３次元加速度センサである。
【００１９】
なお、加速度センサ１６は、例えば、ピエゾ抵抗型、静電容量型により構成されるものとするが、これに限らない。例えば、加速度センサ１６は、圧電素子（圧電式）、熱検知型によるＭＥＭＳ（Ｍｉｃｒｏ  Ｅｌｅｃｔｒｏ  Ｍｅｃｈａｎｉｃａｌ  Ｓｙｓｔｅｍｓ）式、可動コイルを動かしてフィードバック電流によってもとに戻すサーボ式、又は加速度によって生じる歪を歪ゲージによって測定する歪ゲージ式等により構成されてもよい。
【００２０】
記憶部１７は、例えば、制御部１８による演算処理に利用され、メモリ等によって構成される。記憶部１７は、携帯電話機１の内部で動作するアプリケーションを１又は複数記憶する。なお、記憶部１７は、着脱可能な外部メモリを兼ねていてもよい。
【００２１】
制御部１８は、携帯電話機１の全体を制御しており、中央処理装置（ＣＰＵ）等を用いて構成される。
【００２２】
ここで、制御部１８による加速度センサ１６の検出結果の処理について説明する。
制御部１８には、図２に示すように、Ｘ軸方向の加速度（図２中のＡ）と、Ｙ軸方向の加速度（図２中のＢ）と、Ｚ軸方向の加速度（図２中のＣ）と、各加速度を合成したベクトル値（図２中のＤ）が加速度センサ１６の検出結果として送信されてくる。制御部１８は、合成ベクトル値をロギングし、ロギングしたデータを分析して、携帯電話機１の状態を判別する。ロギングしたデータは、記憶部１７に記憶される。
【００２３】
制御部１８が、携帯電話機１の状態を判別するにあたり、例えば、予め記憶部１７に記憶されている、停止状態又は複数の移動状態毎に対応付けられている加速度パターンを用いる。この加速度パターンとは、携帯電話機１が停止状態にある場合、携帯電話機１を有している利用者が歩行している状態にある場合、又は自転車に乗車している状態にある場合などに、どのような加速度パターンが加速度センサ１６により特徴的に検出されるのかを、予め計測し、抽出しておいたパターンである。本実施形態においては、例えば、停止状態又は複数の移動状態毎に、上述した合成ベクトル値のロギングしたデータに対応する加速度パターンが予め記憶部１７に記憶されている。制御部１８は、上述した合成ベクトル値のロギングしたデータと、加速度パターンを比較することにより、携帯電話機１の状態を判別する。
【００２４】
本実施例に係る携帯電話機１は、携帯電話機１の状態を判別することにより、不安定な通信状態を低減することができる構成を有している。以下、不安定な通信状態を低減する構成について説明する。
【００２５】
制御部１８は、判別部として機能し、加速度センサ１６によって検出された加速度に基づき、携帯電話機１が停止状態又は複数の移動状態のいずれかであるかを判別する。
【００２６】
例えば、制御部１８は、複数の移動状態として、後述する第１移動状態から第５移動状態のうちいずれの状態であるかを判別する。停止状態は、例えば、携帯電話機１が載置されている状態又は略停止している状態である。制御部１８は、加速度センサ１６によって加速度が検出されていない場合、又は加速度センサ１６によって検出された加速度が微量である場合に、停止状態であると判別することができる。
【００２７】
続いて、制御部１８は、携帯電話機１が移動状態から停止状態に遷移したと判別した場合に、通信部１５を制御して、ＷｉＦｉに対応した基地局（アクセスポイント）をサーチする。制御部１８は、基地局が見つかると、当該基地局との通信接続を確立させる。
【００２８】
また、制御部１８は、ＷｉＦｉに対応した基地局との通信接続が確立した後、携帯電話機１が停止状態から移動状態に遷移したと判別すると、通信部１５を制御して、ＷｉＦｉによる通信を切断する。なお、通信を切断するとは、例えば、無線リンクを切ることである。ここで、制御部１８は、ＷｉＦｉ（第１の通信システム）によりデータ通信を行っている場合、通信部１５を制御して、当該データ通信をセルラーフォンの通信規格による通信システム（第２の通信システム）により継続する。すなわち、制御部１８は、ＷｉＦｉによる通信（データの通信）から、セルラーフォンの通信規格による通信システムによる通信（データの通信）に切り換えることができる。
【００２９】
このように、携帯電話機１は、携帯電話機１が停止状態から移動状態に遷移した場合にＷｉＦｉによる通信を切断するので、携帯電話機１の移動に伴う不安定な通信状態を低減することができる。また、携帯電子機器１が停止状態から移動状態に遷移した場合にＷｉＦｉによる通信を切断するので、迅速にＷｉＦｉによる通信を終了することができ、消費電力量を低減することができる。また、携帯電話機１は、ＷｉＦｉによる通信を切断した後、セルラーフォンの通信規格による通信により、当該データ通信を再開するので、安定した通信状態によるデータ通信を行い、利便性を向上することができる。
【００３０】
また、制御部１８は、電界強度に基づいてＷｉＦｉによる通信を切断するようにしてもよい。すなわち、制御部１８は、検出部として機能し、通信部１５を制御して、通信接続が行われているＷｉＦｉの基地局から受信する電波の電波強度を検出する。
【００３１】
そして、制御部１８は、携帯電話機１が停止状態から移動状態に遷移した場合において、接続先の基地局から受信する電波の電波強度が所定の閾値以下のとき、通信部１５を制御して、ＷｉＦｉによる通信を切断する。他方、制御部１８は、携帯電話機１が停止状態から移動状態に遷移した場合において、接続先の基地局から受信する電波の電波強度が所定の閾値より大きい場合、ＷｉＦｉによる通信接続を維持する。
【００３２】
このようにすることで、携帯電話機１は、電界強度が弱く、不安定な通信状態である場合に限定してＷｉＦｉによる通信を切断することができる。
【００３３】
また、制御部１８は、携帯電話機１の移動量に基づいてＷｉＦｉによる通信を切断するようにしてもよい。すなわち、制御部１８は、移動量算出部として機能し、加速度センサ１６により検出された加速度に基づいて、携帯電話機１の移動量を算出する。そして、制御部１８は、携帯電話機１が停止状態から移動状態に遷移した場合において、所定時間内に算出された移動量が所定値以上の場合、所定の閾値を上昇させるようにしてもよい。
【００３４】
これにより、携帯電話機１は、移動することに従って所定の閾値が上昇するので、携帯電話機１が移動し、不安定な通信状態となる前に予め通信を切断させやすくすることができる。
【００３５】
つぎに、携帯電話機１の動作の流れについて、図３に示すフローチャートを参照しながら説明する。なお、以下の実施例では、状態の判別をリアルタイムに行うものとして説明するが、これに限らず、所定時間おきに行うようにしてもよい。また、携帯電話機１は、利用者の操作により所定のアプリケーションを起動し、計測開始の操作に応じて、加速度の計測を開始し、計測終了の操作に応じて加速度の計測を終了するものとするが、これに限られない。例えば、携帯電話機１は、タイマーによって指定された開始時刻に加速度の計測を開始し、終了時刻に加速度の計測を終了しても良い。
【００３６】
ステップＳＴ１において、制御部１８は、加速度センサ１６の検出結果に基づいて、各移動状態を判別する。
【００３７】
ステップＳＴ２において、制御部１８は、移動状態から停止状態に遷移したか否かを判別する。制御部１８は、この判別がＹＥＳの場合、ステップＳＴ３に処理を移す。制御部１８は、この判別がＮＯの場合、ステップＳＴ１に処理を移す。
【００３８】
ステップＳＴ３において、制御部１８は、通信部１５を制御して、ＷｉＦｉに対応した基地局をサーチする。
ステップＳＴ４において、制御部１８は、基地局が見つかったか否かを判別する。制御部１８は、この判定がＹＥＳの場合、ステップＳＴ５に処理を移す。制御部１８は、この判別がＮＯの場合、ステップＳＴ１に処理を移す。
【００３９】
ステップＳＴ５において、制御部１８は、通信部１５を制御して、サーチして見つかった基地局との通信接続の確立を行う。
【００４０】
ステップＳＴ６において、制御部１８は、ステップＳＴ１と同様に加速度センサ１６の検出結果に基づいて、各移動状態を判別する。
【００４１】
ステップＳＴ７において、制御部１８は、停止状態から移動状態に遷移したか否かを判定する。制御部１８は、この判定がＹＥＳの場合、ステップＳＴ８に処理を移す。制御部１８は、この判定がＮＯの場合、ステップＳＴ６に処理を移す。
【００４２】
ステップＳＴ８において、制御部１８は、検出した電波強度が所定の閾値以下か否かを判定する。制御部１８は、この判定がＹＥＳの場合、ステップＳＴ９に処理を移す。制御部１８は、この判定がＮＯの場合、ステップＳＴ６に処理を移す。
【００４３】
ステップＳＴ９において、制御部１８は、ＷｉＦｉに対応した基地局との通信接続を切断する。
【００４４】
以上、本実施形態によれば、制御部１８は、ＷｉＦｉに対応した基地局との通信接続が確立した後、携帯電話機１が停止状態から移動状態に遷移したと判別すると、通信部１５を制御して、ＷｉＦｉによる通信を切断する。続いて、制御部１８は、ＷｉＦｉによりデータ通信を行っている場合、セルラーフォンの通信規格による通信により、当該データ通信を再開する。
【００４５】
よって、携帯電話機１は、携帯電話機１が停止状態から移動状態に遷移した場合にＷｉＦｉによる通信を切断するので、携帯電話機１の移動に伴う不安定な通信状態を低減することができる。
【００４６】
以上、本発明の実施形態について説明したが、本発明は前述した実施形態に限るものではない。また、本発明による効果は、前述の実施形態に記載されたものに限定されるものではない。
【００４７】
上記の実施形態では、加速度センサ１６により検出された加速度に基づいて、携帯電話機１の状態が、停止状態又は複数の移動状態のいずれかであるか判別したが、これに限られない。例えば、携帯電話機１は、ＧＰＳ（Ｇｌｏｂａｌ  Ｐｏｓｉｔｉｏｎｉｎｇ  Ｓｙｓｔｅｍ）を用いて、携帯電話機１の位置を計測し、携帯電話機１の単位時間（所定時間）あたりの変位量から携帯電話機１が停止状態又は複数の移動状態のいずれかであるかを判別してもよい。
【符号の説明】
【００４８】
１  携帯電話機
１５  通信部
１６  加速度センサ
１８  制御部
【図１】
2014049909.tif 000003
【図２】
2014049909.tif 000004
【図３】
2014049909.tif 000005